(57)【要約】【課題】  シンボルマークに位置調整を容易に行え、効率よく組立作業が行えるリールユニットを提供する。【解決手段】  円筒形状のリールドラムと、リールドラムの外周面に貼着されるシンボルマークが描かれた図柄シートと、リールドラムを回転駆動するモータと、モータに取り付けられ、リールドラムを固定し、回転を指示する検出片を設けたリール固定部と、検出片の通過を検出し、リールドラムの回転を検出する検出センサと、から構成されるリールユニットにおいて、リールドラムにはモータのステップ角に準じた複数の位置調整穴が設けられ、リール固定部には、位置調整穴に挿通する位置調整部を設け、位置調整部を位置調整穴の任意の位置に挿通することで、モータのステップ角に準じたシンボルマークの位置調整を行えるシンボルマーク位置調整手段を備えたことを特徴とすることにより達成される。【選択図】      図８
2008228749.tif 000002
【特許請求の範囲】
【請求項１】
円筒形状のリールドラムと、
前記リールドラムの外周面に貼着されるシンボルマークが描かれた図柄シートと、
前記リールドラムを回転駆動するモータと、
前記モータに取り付けられ、前記リールドラムを固定し回転を指示する検出片を設けたリール固定部と、
前記検出片の通過を検出し、リールドラムの回転を検出する検出センサと、
から構成されるリールユニットにおいて、
前記リールドラムには、前記モータのステップ角に準じた複数の位置調整穴が設けられ、
前記リール固定部には、前記位置調整穴に挿通する位置調整部を設け、
前記位置調整部を前記位置調整穴の任意の位置に挿通することで、
モータのステップ角に準じたシンボルマークの位置調整を行えるシンボルマーク位置調整手段を備えたことを特徴とするリールユニット。
【発明の詳細な説明】
【技術分野】
【０００１】
本発明は、スロットマシンや弾球遊技機といった遊技機に用いられるリールユニットに関する。
【背景技術】
【０００２】
従来のスロットマシンは、外周面に複数のシンボルマークが描かれた図柄シートを有する３個のリール本体が整列され、前記リール本体に設けられたリールドラムを回転することにより変化する図柄シートのシンボルマークを機体の表示窓から表示し、各リールドラムを順次停止させることにより、それぞれ停止したシンボルマークを表示窓内に表示するようにしている。
【０００３】
このようなスロットマシンにおいて、表示窓には各シンボルマークの停止位置に合わせて、上、中、下、斜めの５本の停止ラインが形成され、各リールドラムの停止時において、いずれかの停止ライン上に特定のシンボルマークの組合せが成立すると入賞となり、遊技客に所定枚数のメダルが払出されるものである。
【０００４】
前記リール本体は、回転するリールドラムと、前記リールドラムと一体となった検出片と、前記リールドラムの外周に貼り付けられ、その外周に様々なシンボルマークが描かれた図柄シートと、前記リールドラムを回転させるモータと、前記モータを取り付ける取付板と、リールドラムの回転位置を前記検出片にて認識するセンサと、リールドラムの内周部に設けられた照光部とから構成されている。
【０００５】
前記リール本体の組立時、図柄シートの外周に描かれたシンボルマークと、リールドラムと一体になった検出片との相対位置が一定関係に定められ、前記リールドラムの外周に貼り付けられる。この貼り付け位置の良否は、貼り付け後にリールドラムを回転、停止させ、特定シンボルマークの停止位置と基準位置とをセンサにて比較することで判定され、該判定の結果、否と判定されたものは図柄シートをリールドラムの外周から剥がされ、再度貼り直しを行う。この貼り直し作業は、前述した作業以外にも、リールドラムの取り付け誤差やモータ、センサの特性等が原因で起こることもあり、リール本体を効率よく組立作業を行えなかった。
【０００６】
昨今、貼り直し作業を必要とせず、効率よく組立作業を行えるリールユニットが下記先願にて開示されている。下記特許文献１にて開示されているリールユニットは、リールドラムに設けられた位置決め部材（検出片）を円周方向に調整できるように取り付けられ、センサに対し移動調整することで、図柄シートの貼り直し作業を行わず調整を行えるものである。また、下記特許文献２にて開示されているリールユニットは、モータが取り付けられているブラケット（取付板）に移動自在と成すセンサを設けられ、該センサを相対位置関係のずれを打ち消す方向で移動することで、図柄シートの貼り直し作業を行わずとも調整を行えるものである。
【特許文献１】実開昭６１―１５１７８３
【特許文献２】特開平１０―２７７２０２
【発明の開示】
【発明が解決しようとする課題】
【０００７】
しかしながら、前述する位置決め部材やセンサでの移動調整では、具体的な位置合わせが無く移動量があいまいなため、組立作業に置ける調整作業が難しく、また、作業工数がかかる問題があった。
【０００８】
本発明は上記課題を鑑み、シンボルマークの位置調整を容易に行え、効率よく組立作業が行えるリールユニットを提供する。
【課題を解決するための手段】
【０００９】
円筒形状のリールドラムと、リールドラムの外周面に貼着されるシンボルマークが描かれた図柄シートと、リールドラムを回転駆動するモータと、モータに取り付けられ、前記リールドラムを固定し、回転を指示する検出片を設けたリール固定部と、検出片の通過を検出し、リールドラムの回転を検出する検出センサと、から構成されるリールユニットにおいて、リールドラムには前記モータのステップ角に準じた複数の位置調整穴が設けられ、リール固定部には、前記位置調整穴に挿通する位置調整部を設け、前記位置調整部を位置調整穴の任意の位置に挿通することで、モータのステップ角に準じたシンボルマークの位置調整を行えるシンボルマーク位置調整手段を備えたことを特徴とすることにより達成される。
【発明の効果】
【００１０】
本発明によれば、モータのステップ角に準じた具体的な位置合わせを行うことができるため、シンボルマークの位置調整を容易に行え、効率よく組立作業が行うことができる。
【実施例１】
【００１１】
以下、各図面に基づき本発明のリールユニット７を詳細に説明する。  図１はリールユニット７が設けられたスロットマシン１の外観斜視図を示す図である。図1において、スロットマシン１は箱型形状の本体部３と、該本体部３の前面開口に扉部５が開閉可能に設けられている。前記扉部５の前面には透明な合成樹脂板または強化ガラスの表面に任意の彩色を施して形成された上部パネル５ａと、略中央の正面パネル５ｂと下部パネル５ｃと、が設けられている。このうち正面パネル５ｂには表示窓５ｄが設けられている。
【００１２】
また、正面パネル５ｂと下部パネル５ｃとの間には、スタートレバー５ｅとスロットマシン１の内部に設けられたリールユニット７に対応した３個の停止ボタン５ｆと、メダル投入口５ｇ等が設けられ、下部パネル５ｃの下方にはメダル払出口５ｈと、メダル受皿５ｊ等が設けられている。
【００１３】
図２はリールユニット７が設けられたスロットマシン１の内部構造を示す図である。スロットマシン１の内部には、上方に制御基板３ａと、略中央にはリールユニット７と、下方に位置し多数枚のメダルを収容すると共にメダル払出口５ｈへメダルを払出すホッパー３ｂと、が設けられている。
【００１４】
図３はリールユニット７の外観斜視図を示す図である。リールユニット７は、箱型形状で片側側面が開口するフレーム部７ａと、横方向に配列された状態で前記フレーム部７ａに組み込まれた複数のリール本体９と、から構成されている。組み込まれた夫々のリール本体９は、フレーム部７ａと着脱自在の構成と成し、取り付け後、ねじ止することで固定する。夫々のリール本体９には、円筒形状のリールドラム１３が設けられ、その外周面に帯状の図柄シート１５を貼着して成り、夫々の図柄シート１５は透孔性を有する素材により構成され、その表面には様々な文字や図柄等のシンボルマーク１５ａが描かれており、各リール本体９を停止した際のシンボルマークの組み合わせにより入賞を成立させる構成とされている。
【００１５】
図４、図５、図６にてリール本体９の構成を説明する。図４はリール本体９の分解斜視図を示す図であり、図５はリール固定部１１の外観斜視図を示す図であり、図６はリールドラム１３の部分拡大図を示す図である。リール本体９は、フレーム部７ａと着脱自在と成し、回転駆動するモータ９ａと照光部９ｂとを備えた取付板９ｃと、前記モータ９ａにより回転駆動する出力軸９ｄに取付固定するリール固定部１１と、前記リール固定部１１に取付固定し、その外周に図柄シート１５を貼着したリールドラム１３と、から構成される。照光部９ｂはリールドラム１３に貼着した図柄シート１５の裏側を沿う周方向に複数配列され、該照光部９ｂの背面に複数の発光体を配列した基板を設け、図柄シート１５の裏側からシンボルマーク１５ａを照らし出す。また、該照光部９ｂには、リールドラム１３の回転を認識する検出センサ９ｅを設けている。前記検出センサ９ｅは、本発明において先端がコの字状としたフォトセンサを用いており、その取付位置はモータ９ａの出力軸９ｄを中心とする円上に配置される。
【００１６】
リール固定部１１は、図５にて示すように、略円形状で、中心の出力軸取付穴１１ａにモータ９ａの出力軸９ｄを挿通し、下方より固定ネジ９ｆにてねじ止され、モータ９ａにより回転する。また、リール固定部１１の一端側には回転位置を指し出す指示部材１１ｂが一体として形成され、該指示部材１１ｂの端部にリールドラム１３の回転を検出センサ９ｅにて認識させるための検出片１１ｃを形成されている。前記検出片１１ｃはモータ９ａの出力軸９ｄを中心とする円上にあり、リール固定部１１の回転に伴い、前記検出片１１ｃは検出センサ９ｅを通過する方向に沿って回転する。また、指示部材１１ｂの端部には円筒形状の位置調整部１１ｄが設けられ、リールドラム１３のスポーク部１３ａに設けた複数の位置調整穴１３ｂと任意の位置に挿通する。位置調整部１１ｄと複数の位置調整穴１３ｂの移送範囲は、は検出片１１ｃとシンボルマーク１５ａとの相対位置の一定関係の範囲内で移送可能とする。
【００１７】
リールドラム１３は、円筒状で、側面側にはその外周を支持する複数のスポーク部１３ａを円周上一定間隔に設けられ、その外周面には帯状の図柄シート１５が貼着されている。リールドラム１３は図６に示すように、スポーク部１３ａの略中央部分に、リールドラム１３の中心Ｃから円周上に複数の位置調整穴１３ｂが夫々、角度αずつ離れて設けられている。角度αは取付板９ｃに設けたモータ９ａのステップ角（本発明においては約１．８°）と同様であり、リール固定部１１の位置調整部１１ｄを、前記位置調整穴１３ｂの任意の位置に挿通しリールドラム１３を取り付けることで、図柄シート１５に描かれたシンボルマーク１５ａの具体的な位置合わせを行うことが可能である。
【００１８】
リール固定部１１に形成された指示部材１１ｂの端部と、出力軸取付穴１１ａを中心とする円周上一定間隔にリール固定穴１１ｅを設けている。リール固定穴１１ｅはリールドラム１３に設けた長穴１３ｃと連通し、リールドラム１３を固定する際、押さえ板９ｇを介し固定ネジ９ｆにてねじ止する。リールドラム１３の長穴１３ｃは、位置調整部１１ｄを前記位置調整穴１３ｂに任意の位置に挿通しても固定ネジ９ｆにてねじ止することができる。
【００１９】
次に、図７、図８、図９を用いて本発明であるリールユニット７の作用を説明する。図７、図８は本発明の作用を示すリール固定部１１とリールドラム１３の部分拡大図であり、図９は基準となるシンボルマーク１５ａの位置が他と異なった状態を示す図である。  夫々のリール本体９を組み立て、横方向に配列された状態でフレーム部７ａに組付ける。図９に示すように、組付け後、リールドラム１３を回転、停止させ、特定のシンボルマーク１５ａの停止位置と基準位置Ｏとを検出センサ９ｅにて比較することで判定され、該判定の結果、否と判定されたものはシンボルマークの位置調整を行う。（矢印方向Ａ）
【００２０】
図７、図８に示すように、位置調整を必要とするリール本体９をフレーム部７ａから取り出し、リール固定部１１とリールドラム１３を固定する固定ネジ９ｆを取り外し、リールドラム１３のスポーク部１３ａに設けた位置調整穴１３ｂに挿通する位置調整部１１ｄを特定のシンボルマーク１５ａを基準位置に合わせる方向で、再度異なる位置調整穴１３ｂに挿通し、組み立て直す。複数の位置調整穴１３ｂはリールドラム１３を回転駆動させるモータ９ａのステップ角と同等の角度αずつ離れて設けられており、該モータ９ａのステップ角に準じて、図柄シート１５に描かれたシンボルマーク１５ａの位置を調整することができる。
【００２１】
本発明において、位置調整部１１ｄと複数の位置調整穴１３ｂにて任意の位置に挿通し、該モータ９ａのステップ角に準じて図柄シート１５に描かれたシンボルマーク１５ａの位置を調整することで、図柄シート１５の貼り直し作業をすることが無く、効率的に組立作業を行うことができる。また、ステップ角に準じた複数の位置調整穴１３ｂを設けたことで、具体的な位置合わせを行うことができ、調整におけるあいまいさを解消するものである。
【００２２】
本実施例において、リールドラム１３を固定する固定ネジ９ｆを取り外しシンボルマーク１５ａの位置調整を行っているが、固定ネジ９ｆを緩めて、位置調整部１１ｄを異なる位置調整穴１３ｂに挿通し組み立て直すことでシンボルマーク１５ａの位置調整行うことも可能である。
【００２３】
また、本実施例において、スロットマシン１のリールユニット７に適用した場合について説明したが、パチンコ機等の弾球遊技機のリールユニットにも適用可能とする。
【図面の簡単な説明】
【００２４】
【図１】リールユニットが設けられたスロットマシンの外観斜視図を示す図である。
【図２】リールユニットが設けられたスロットマシンの内部構造を示す図である。
【図３】リールユニットの外観斜視図を示す図である。
【図４】リール本体の分解斜視図を示す図である。
【図５】リール固定部の外観斜視図を示す図である。
【図６】リールドラムの部分拡大図を示す図である。
【図７】本発明の作用を示すリール固定部とリールドラムの部分拡大図である。
【図８】本発明の作用を示すリール固定部とリールドラムの部分拡大図である。
【図９】基準となるシンボルマークの位置が他と異なった状態を示す図である。
【符号の説明】
【００２５】
１      スロットマシン  ３      本体部  ５      扉部７      リールユニット９      リール本体９ａ    モータ９ｅ    検出センサ１１    リール固定部１１ｂ  指示部材１１ｃ  検出片１１ｄ  位置調整部１３    リールドラム１３ｂ  位置調整穴１５    図柄シート１５ａ  シンボルマーク  α      角度  Ｃ      中心  Ｏ      基準位置
【図１】
2008228749.tif 000003
【図２】
2008228749.tif 000004
【図３】
2008228749.tif 000005
【図４】
2008228749.tif 000006
【図５】
2008228749.tif 000007
【図６】
2008228749.tif 000008
【図７】
2008228749.tif 000009
【図８】
2008228749.tif 000010
【図９】
2008228749.tif 000011